(57)【要約】【課題】汚損物の侵入を防止し且つ邪魔になることを防止することが可能な表示灯付発信機を提供することを目的とする。【解決手段】  裏側取付用板金側開口部９１１を備える板金９１に取り付けられる表示灯付発信機１００であり裏側領域に設けられている表示灯付発信機１００であって、発光部と、少なくとも表示灯付発信機１００の正面側から発光手段を覆う表カバー１であって、少なくとも発光部が発光した光を少なくとも表示灯付発信機１００の正面側における外部に透過する領域である透過領域を備えている表カバー１であり、少なくとも表カバー１が裏側取付用板金側開口部９１１を介して正面側領域に対して露出するように板金９１に取り付けられる表カバー１と、板金９１と表カバー１との間を封止するカバーパッキン７２と、を備える。【選択図】図６
2019008403.tif 000002
【特許請求の範囲】
【請求項１】
監視領域における異常を通報する表示灯付発信機であり、前記表示灯付発信機の正面側の領域である正面側領域と前記表示灯付発信機の裏側の領域である裏側領域とを区画する取付対象であって前記表示灯付発信機の少なくとも一部を前記正面側領域に対して露出させるための露出穴を備える前記取付対象に取り付けられる前記表示灯付発信機であり、前記露出穴よりも大径の前記表示灯付発信機であり、前記裏側領域に設けられている前記表示灯付発信機であって、
発光手段と、
少なくとも前記表示灯付発信機の正面側から前記発光手段を覆う表カバーであって、少なくとも前記発光手段が発光した光を少なくとも前記表示灯付発信機の正面側における前記表示灯付発信機の外部に透過する領域である透過領域を備えている前記表カバーであり、少なくとも前記表カバーが前記露出穴を介して前記正面側領域に対して露出するように前記取付対象に取り付けられる前記表カバーと、
自己の少なくとも一部が前記取付対象と前記表カバーとの間において前記露出穴の周囲に設けられる封止手段であって、前記取付対象と前記表カバーとの間を封止する前記封止手段と、
を備える表示灯付発信機。
【請求項２】
前記表カバーは、前記封止手段を介して前記取付対象に押し付けられており、
前記封止手段は、
前記表カバーが前記取付対象に押し付けられる場合に前記表カバーから受ける押圧力によって前記取付対象に押し付けられる封止片であって、前記取付対象と前記表カバーとの間を封止する前記封止片と、
前記取付対象における前記露出穴の縁を覆うカバー片であって、前記露出穴から前記正面側領域に対して突出している前記カバー片と、を備える、
請求項１に記載の表示灯付発信機。
【請求項３】
前記封止片は、弾性的に変形する、
請求項２に記載の表示灯付発信機。
【請求項４】
前記表カバーは、少なくとも、前記表示灯付発信機の正面側から前記発光手段を覆う正面部、を備えており、
前記表カバーの前記透過領域は、少なくとも、前記正面部の外周側に設けられており、
前記封止手段は、前記正面部の外周側における前記透過領域の一部と対向している正面対向封止部であって、前記露出穴を介して前記正面側領域に露出している前記正面対向封止部、を備えており、
前記正面対向封止部は、前記正面部の外周側における前記透過領域の一部を透過した前記発光手段からの光を前記正面側領域に透過させる、
請求項１から３のいずれか一項に記載の表示灯付発信機。
【請求項５】
前記表カバーは、
前記表示灯付発信機の正面側から前記発光手段を覆う正面部と、
前記表示灯付発信機の側面側から前記発光手段を覆う側面部と、を備えており、
前記表カバーの前記透過領域は、少なくとも前記側面部に設けられており、
前記封止手段は、前記側面部における前記透過領域の一部と対向している側面対向封止部、を備えており、
前記側面対向封止部は、前記側面部における前記透過領域の一部を透過した前記発光手段からの光を前記正面側領域に反射させる、
請求項１から３のいずれか一項に記載の表示灯付発信機。
【発明の詳細な説明】
【技術分野】
【０００１】
本発明は、表示灯付発信機に関する。
【背景技術】
【０００２】
従来、建物等には、火災を通報する発信機の位置を表示すために発光する表示灯装置が設けられていた（特許文献１）。
【先行技術文献】
【特許文献】
【０００３】
【特許文献１】特開平９−２６５５９４号公報
【発明の概要】
【発明が解決しようとする課題】
【０００４】
ところが、この表示灯装置は、発信機とは別体として構成されており、あらゆる方向に対して発信機の位置を表示するために、発信機の隣にて設置面から発信機の正面側において比較的大きく突出して設けられていたので、例えば、建物内で表示灯装置が邪魔になってしまうことがあった。
【０００５】
そこで、従来の発信機に対して後付け可能な後付け表示灯装置が提案されていた。この後付け表示灯装置は、全体としてフラットに構成されており、また、従来の発信機に対してねじ等を用いて後付け可能となるように構成されていた。詳細には、後付け表示灯装置は、発信機を正面側に向かって露出させた状態で当該発信機の周囲を取り囲むように構成されており、また、この取り囲んでいる部分に表示灯が設けられており、また、発信機に対して後付けされた場合に、当該表示灯が発信機の周囲に沿って設けられるように構成されていた。
【０００６】
しかしながら、この後付け表示灯装置は、例えば、設置面に対して発信機の正面側から取り付けられていたので、全体としてフラットに構成されているものの設置面から突出していたので、依然として邪魔になってしまう可能性があった。また、この後付け表示灯装置及び発信機においては、例えば、自己の少なくとも一部を、設置面に設けられた設置穴に挿入した状態で取り付けられていたので、雨や塵埃等の汚損物が表示灯装置及び発信機と設置面との間の僅かな隙間を通って設置穴に到達して当該設置穴の内部に入りこんで汚れてしまう可能性があった。
【０００７】
汚損物の侵入を防止し且つ邪魔になることを防止する観点において、改善の余地があった。
【０００８】
本発明は上記問題に鑑みてなされたもので、汚損物の侵入を防止し且つ邪魔になることを防止することが可能な表示灯付発信機を提供することを目的とする。
【課題を解決するための手段】
【０００９】
上述した課題を解決し、目的を達成するために、請求項１に記載の表示灯付発信機は、監視領域における異常を通報する表示灯付発信機であり、前記表示灯付発信機の正面側の領域である正面側領域と前記表示灯付発信機の裏側の領域である裏側領域とを区画する取付対象であって前記表示灯付発信機の少なくとも一部を前記正面側領域に対して露出させるための露出穴を備える前記取付対象に取り付けられる前記表示灯付発信機であり、前記露出穴よりも大径の前記表示灯付発信機であり、前記裏側領域に設けられている前記表示灯付発信機であって、発光手段と、少なくとも前記表示灯付発信機の正面側から前記発光手段を覆う表カバーであって、少なくとも前記発光手段が発光した光を少なくとも前記表示灯付発信機の正面側における前記表示灯付発信機の外部に透過する領域である透過領域を備えている前記表カバーであり、少なくとも前記表カバーが前記露出穴を介して前記正面側領域に対して露出するように前記取付対象に取り付けられる前記表カバーと、自己の少なくとも一部が前記取付対象と前記表カバーとの間において前記露出穴の周囲に設けられる封止手段であって、前記取付対象と前記表カバーとの間を封止する前記封止手段と、を備える。
【００１０】
また、請求項２に記載の表示灯付発信機は、請求項１に記載の表示灯付発信機において、前記表カバーは、前記封止手段を介して前記取付対象に押し付けられており、前記封止手段は、前記表カバーが前記取付対象に押し付けられる場合に前記表カバーから受ける押圧力によって前記取付対象に押し付けられる封止片であって、前記取付対象と前記表カバーとの間を封止する前記封止片と、前記取付対象における前記露出穴の縁を覆うカバー片であって、前記露出穴から前記正面側領域に対して突出している前記カバー片と、を備える。
【００１１】
また、請求項３に記載の表示灯付発信機は、請求項２に記載の表示灯付発信機において、前記封止片は、弾性的に変形する。
【００１２】
また、請求項４に記載の表示灯付発信機は、請求項１から３のいずれか一項に記載の表示灯付発信機において、前記表カバーは、少なくとも、前記表示灯付発信機の正面側から前記発光手段を覆う正面部、を備えており、前記表カバーの前記透過領域は、少なくとも、前記正面部の外周側に設けられており、前記封止手段は、前記正面部の外周側における前記透過領域の一部と対向している正面対向封止部であって、前記露出穴を介して前記正面側領域に露出している前記正面対向封止部、を備えており、前記正面対向封止部は、前記正面部の外周側における前記透過領域の一部を透過した前記発光手段からの光を前記正面側領域に透過させる。
【００１３】
また、請求項５に記載の表示灯付発信機は、請求項１から３のいずれか一項に記載の表示灯付発信機において、前記表カバーは、前記表示灯付発信機の正面側から前記発光手段を覆う正面部と、前記表示灯付発信機の側面側から前記発光手段を覆う側面部と、を備えており、前記表カバーの前記透過領域は、少なくとも前記側面部に設けられており、前記封止手段は、前記側面部における前記透過領域の一部と対向している側面対向封止部、を備えており、前記側面対向封止部は、前記側面部における前記透過領域の一部を透過した前記発光手段からの光を前記正面側領域に反射させる。
【発明の効果】
【００１４】
請求項１に記載の表示灯付発信機によれば、表示灯付発信機が裏側領域に設けられており、また、取付対象と表カバーとの間を封止する封止手段を備えることにより、例えば、正面側領域において取付対象がフラットになるように表示灯付発信機を取り付けることができるので、表示灯付発信機が邪魔になることを防止することができる。また、例えば、封止手段を備えるので、当該封止手段にて露出穴を封止することができ、露出穴を介して裏側領域に雨や塵埃等の汚損物が入り込むことを防止することができる。
【００１５】
請求項２に記載の表示灯付発信機によれば、封止手段が封止片とカバー片とを備えることにより、例えば、露出穴を介して裏側領域に雨や塵埃等の汚損物が入り込むことを封止片にて確実に防止すると共に、取付対象における露出穴の縁をカバー片にて覆って当該縁にユーザが触れて怪我をすることを防止することができる。
【００１６】
請求項３に記載の表示灯付発信機によれば、封止片が弾性的に変形することにより、例えば、設置対象の構造等に起因して当該設置対象と表示灯付発信機との相対的位置が多少ずれた場合であっても、封止片が取付対象に押し付けられた状態を維持することができ、露出穴を介して裏側領域に雨や塵埃等の汚損物が入り込むことをより確実に防止することができる。
【００１７】
請求項４に記載の表示灯付発信機によれば、正面部の外周側における透過領域の一部と対向している正面対向封止部が、発光手段からの光を正面側領域に透過させることにより、例えば、表示灯付発信機全体における正面側領域に光を透過する領域の面積が封止手段によって縮小されることを防止できるので、正面側領域に光を透過する領域の面積を比較的広く保って表示灯付発信機を目立たせることができる。
【００１８】
請求項５に記載の表示灯付発信機によれば、側面部における透過領域の一部と対向している側面対向封止部が、発光手段からの光を正面側領域に反射させることにより、例えば、側面部側への光を正面側領域に発光することができるので、正面側領域に発光される光量を増大させて表示灯付発信機をより目立たせることができる。つまり、例えば、本願の側面対向封止部が設けられていない場合、側面部における透過領域からの光が正面側領域に出力されずに無駄になる可能性があるが、本願の表示灯付発信機については、側面対向封止部が設けられているので、当該側面対向封止部にて側面部における透過領域からの光を正面側領域に効率的に誘導することができ、表示灯付発信機をより目立たせることができる。
【図面の簡単な説明】
【００１９】
【図１】本実施の形態に係る板金に取り付けられた状態の表示灯付発信機の斜視図である。
【図２】板金から取り外された状態表示灯付発信機の斜視図である。
【図３】表示灯付発信機の正面図である。
【図４】表示灯付発信機の側面図である。
【図５】表示灯付発信機の背面図である。
【図６】図３のＡ―Ａ矢視断面図である。
【図７】正面側から見た表示灯付発信機の一部の分解斜視図である。
【図８】裏側から見た表示灯付発信機の一部の分解斜視図である。
【図９】表示灯付発信機の一部の正面図である。
【図１０】表示灯付発信機の一部の側面図である。
【図１１】カバーパッキンの斜視図である。
【図１２】一部を切断した状態のカバーパッキンの一部の斜視図である。
【図１３】図６の一部の拡大図である。
【図１４】一部を切断した状態の他のカバーパッキンの一部の斜視図である。
【発明を実施するための形態】
【００２０】
以下に、本発明に係る表示灯付発信機の実施の形態を図面に基づいて詳細に説明する。なお、この実施の形態によりこの発明が限定されるものではない。
【００２１】
〔実施の形態の基本的概念〕
まずは、実施の形態の基本的概念について説明する。実施の形態は、概略的に、表示灯付発信機に関するものである。ここで、「表示灯付発信機」とは、監視領域における異常を通報する通報手段であり、具体的には、少なくとも発光手段を備えているものであり、例えば、取付対象に取り付けられているものである。この「表示灯付発信機」は、例えば、監視領域における異常が発生した場合に、監視領域のユーザによって操作されることにより、当該異常を通報する装置である。
【００２２】
「監視領域」とは、監視の対象となっている領域であり、例えば、建物外の領域、建築物の部屋、階段、又は廊下等を含む概念である。「異常」とは、監視領域が通常とは異なる状態になることであり、例えば、監視領域における火災発生、又は有毒ガスのガス漏れ等を含む概念である。
【００２３】
「発光手段」とは、光を出力するものであり、例えば、電界発光の光源である有機ＥＬ、無機ＥＬ、又は発光ダイオード（ＬＥＤ）、放電発光の光源である蛍光灯、又は水銀ランプ、白熱発光する白熱電球、又はハロゲン球等を含む概念である。
【００２４】
「取付対象」とは、表示灯付発信機を取り付ける対象物であって、例えば、監視領域における壁、監視領域の板金等を含む概念である。「監視領域の板金」とは、監視領域に設けられている防災のための設備の板金であり、例えば、少なくとも消火栓の設備（例えば、ホース等）を収容する消火栓箱の板金、あるいは、少なくとも電鈴等を収容する機器収容箱の板金等を含む概念である。そして、この取付対象に対する表示灯付発信機の取り付けについては、例えば、表示灯付発信機を取付対象の裏側から取り付ける手法があげられる。
【００２５】
以下の実施の形態においては、「異常」が「監視領域における火災発生」であり、「発光手段」が「発光ダイオード」であり、「取付対象」が「消火栓箱の板金」である場合について説明する。
【００２６】
（構成）
まず、本実施の形態に係る表示灯付発信機の構成について説明する。図１は、本実施の形態に係る板金に取り付けられた状態の表示灯付発信機の斜視図であり、図２は、板金から取り外された状態表示灯付発信機の斜視図であり、図３は、表示灯付発信機の正面図であり、図４は、表示灯付発信機の側面図であり、図５は、表示灯付発信機の背面図であり、図６は、図３のＡ―Ａ矢視断面図であり、図７は、正面側から見た表示灯付発信機の一部の分解斜視図であり、図８は、裏側から見た表示灯付発信機の一部の分解斜視図である。なお、図１、図３〜図６では、板金９１に取り付けられた状態を示しており、板金９１については、説明の便宜上、矩形として図示されている。また、図４の側面図においては、実際には、消火栓箱の内部は見えない状態になっているが、ここでは、説明の便宜上当該内部の構成も実線で示している。また、以下の説明では、各図に適宜示すＸ―Ｙ―Ｚ方向が互いに直交する方向であり、具体的には、Ｙ方向が鉛直方向であって、Ｘ方向及びＺ方向が鉛直方向に対して直交する水平方向であるものとして、例えば、Ｙ方向を上下方向と称して、＋Ｙ方向を上側と称し−Ｙ方向を下側と称し、Ｘ方向を左右方向と称して、＋Ｘ方向を右側と称し−Ｘ方向を左側と称し、Ｚ方向を厚み方向と称して、＋Ｚ方向を正面側と称し−Ｚ方向を裏側又は背面側と称して説明する。また、ＸＹ平面に沿っている方向（つまり、＋Ｘ方向、−Ｘ方向、＋Ｙ方向、−Ｙ方向を含む方向）を側面側と称し、この側面側と正面側とを含む方向を表側と称して、これらの「Ｘ―Ｙ―Ｚ方向」に関する用語については、図示の表示灯付発信機１００において、各構成品の相対的な位置関係（又は、方向）等を説明するための便宜的な表現であることとして、以下説明する。以下では、表示灯付発信機１００の全体の構成を説明した後に、特に特徴的な構成の詳細について説明する。
【００２７】
これら各図に示す表示灯付発信機１００は、監視領域における異常を通報する通報手段であり、具体的には、監視領域における火災発生を通報する装置であり、図６に示すように、消火栓箱の板金９１に裏側（−Ｚ方向）から取り付けられるものであり、例えば、図７の表カバー１、ライトガイド２、発光部３、表示灯基板４１、保護板４２、押さえばね４３、スイッチ４４、部品板５、図６の発信機基板６１、基板カバー６２、取付部材７１、及びカバーパッキン７２を備える。
【００２８】
ここで、板金９１とは、取付対象であって、具体的には、監視領域に設けられている消火栓箱（全体構成は不図示）の板金であり、例えば、正面側領域と裏側領域とを区画するものであって、図３及び図６の裏側取付用板金側開口部９１１を備えるものである。なお、「正面側領域」とは、監視領域に含まれている一部の領域であり、具体的には、板金９１によって区画されている領域であって、表示灯付発信機１００の正面側（＋Ｚ方向）の領域であり、例えば、消火栓箱の外部の領域である。また、「裏側領域」とは、監視領域に含まれている他の一部の領域であり、具体的には、板金９１によって区画されている領域であって、表示灯付発信機１００の裏側（−Ｚ方向）の領域であり、例えば、消火栓箱の内部の領域である。
【００２９】
また、裏側取付用板金側開口部９１１は、板金９１に設けられている開口であり、具体的には、表示灯付発信機１００の少なくとも一部を正面側領域に対して露出させるための露出穴であり、例えば、表示灯付発信機１００の表カバー１よりも小径（つまり、表示灯付発信機１００は裏側取付用板金側開口部９１１より大径である）の円形の穴である。
【００３０】
（構成‐表カバー）
表カバー１は、表側から少なくとも発光部３を覆うカバー手段であり、例えば、後述する図７の透過領域１３及び非透過領域１４が相互に一体的に構成されているものであり、また、全体として円盤形状の外形となっているものである。なお、表カバー１の詳細については、後述する。
【００３１】
（構成‐ライトガイド）
ライトガイド２は、発光部３が発光した光を導光する導光手段であり、具体的には、表カバー１に沿って透過領域１３の全体にわたって設けられているものである。このライトガイド２の具体的な種類や構成は任意であるが、例えば、厚み方向（Ｚ方向）における表カバー１と表示灯基板４１との間に設けられているものであり、また、スイッチ４４を取り囲むように環状に形成されているものであり、また、導光性を有する任意の材料（例えば、透明の樹脂材料等）を用いて構成されている円環形状のものである。
【００３２】
（構成‐発光部）
発光部３は、光を発光する発光手段であり、具体的には、ライトガイド２に向かって発光するものである。この発光部３の具体的な種類や構成は任意であるが、例えば、表示灯付発信機１００における上側（＋Ｙ方向）寄り位置の及び下側（−Ｙ方向）寄りの位置に設けられているものであり、また、表示灯基板４１に実装されている発光ダイオードである。
【００３３】
（構成‐表示灯基板）
表示灯基板４１は、発光部３が実装される回路基板であり、具合的には、ライトガイド２を基準にして表カバー１の反対側に設けられているものである。この表示灯基板４１の具体的な種類や構成は任意であるが、例えば、スイッチ４４を避けつつ発光部３の位置を結ぶように構成されており、また、ライトガイド２の左側（−Ｘ方向）の一部のみと対向する円弧状に構成されているものである。
【００３４】
（構成‐保護板）
保護板４２は、表示灯付発信機１００を操作するための操作手段であり、具体的には、スイッチ４４を保護するためのものであり、また、異常発生時にユーザによって押下されるものである。この保護板４２の具体的な種類や構成は任意であるが、例えば、自己の一部が表カバー１の露出開口部１７を介して露出するように設けられているものである。
【００３５】
（構成‐押さえばね）
押さえばね４３は、表示灯付発信機１００を操作するための操作手段であり、具体的には、押下された状態の保護板４２を元の位置に戻すためにユーザによって操作されるものである。この押さえばね４３の具体的な種類や構成は任意であるが、例えば、スイッチ４４の周囲に設けられるように折り曲げられたものである。
【００３６】
（構成‐スイッチ）
スイッチ４４は、表示灯付発信機１００を操作するための操作手段であり、具体的には、表カバー１の正面部１１に沿う方向における表示灯付発信機１００の中心側に設けられているものであり、また、異常発生時にユーザによって保護板４２を介して押下されるものである。このスイッチ４４の具体的な種類や構成は任意であるが、例えば、押しボタンスイッチとして構成するができる。
【００３７】
（構成‐部品板）
部品板５は、裏側（−Ｚ方向）から少なくとも発光部３を覆うカバー手段であり、具体的には、裏カバーである。この部品板５の具体的な種類や構成は任意であるが、例えば、全体としては円形のものであり、樹脂製のものである。
【００３８】
（構成‐発信機基板）
図６の発信機基板６１は、表示灯付発信機１００を動作させるための電気回路が実装されている発信機回路基板である。この発信機基板６１の具体的な種類や構成は任意であるが、例えば、全体としては矩形形状となっているものであって、任意の手法（例えば、ねじでの螺合等）を用いて部品板５の裏側に固定されるものである。
【００３９】
（構成‐基板カバー）
基板カバー６２は、裏側（−Ｚ方向）から発信機基板６１を覆うカバー手段であり、例えば、全体としては矩形形状となっているものであり、また、部品板５に対して係合して取り付けられるものである。なお、基板カバー６２の詳細については、後述する。
【００４０】
（構成‐取付部材）
取付部材７１は、表示灯付発信機１００を裏側領域に設けるものであり、具体的には、少なくとも表カバー１の一部が裏側取付用板金側開口部９１１を介して正面側領域に対して露出するように、板金９１との間で表示灯付発信機１００の少なくとも一部を挟む取付手段であって、表カバー１を板金９１に取り付けるものであり、例えば、表カバー１の正面部１１に沿う方向において表カバー１よりも大きな矩形形状のものである。なお、取付部材７１の詳細については、後述する。
【００４１】
（構成‐カバーパッキン）
カバーパッキン７２は、自己の少なくとも一部が板金９１と表カバー１との間において裏側取付用板金側開口部９１１の周囲に設けられる封止手段であり、具体的には、板金９１と表カバー１との間を封止するものである。なお、カバーパッキン７２の詳細については、後述する。
【００４２】
（構成‐詳細）
次に、表カバー１、基板カバー６２、取付部材７１、及びカバーパッキン７２の詳細について説明する。
【００４３】
（構成‐詳細‐表カバー）
図９は、表示灯付発信機の一部の正面図であり、図１０は、表示灯付発信機の一部の側面図である。なお、これら図９及び図１０は、取付部材７１及びカバーパッキン７２を取り外した状態の表示灯付発信機１００を示している。図９及び図１０の表カバー１は、正面部１１、側面部１２、透過領域１３、非透過領域１４、図７の開閉開口部１５、表示板１６、及び露出開口部１７を備える。
【００４４】
（構成‐表カバー‐正面部）
図９及び図１０の正面部１１は、表示灯付発信機１００の正面側（＋Ｚ方向）から発光部３を覆うものであり、また、表カバー１の外形の一部を構成するものであり、例えば、ＸＹ平面に沿っている円形のものであって、外側の縁が僅かに湾曲して側面部１２に続いているものであり、また、側面部１２と一体的に構成されているものである。
【００４５】
（構成‐詳細‐表カバー‐側面部）
図９及び図１０の側面部１２は、表示灯付発信機１００の側面側から発光部３を覆うものであり、また、表カバー１の外形の他の一部を構成するものであり、例えば、正面部１１の外側の縁から一部湾曲して裏側（−Ｚ方向）に向かって伸びているものであって、正面部１１から続いているものであり、また、正面部１１と一体的に構成されているものである。
【００４６】
（構成‐詳細‐表カバー‐透過領域）
図９及び図１０の透過領域１３は、発光部３が発光した光を表示灯付発信機１００の表側における表示灯付発信機１００の外部に透過する領域であり、特に、ライトガイド２が導光した光を表示灯付発信機１００の少なくとも正面側（＋Ｚ方向）における表示灯付発信機１００の外部に透過する領域であり、例えば、正面側（＋Ｚ方向）に加えて側面側における表示灯付発信機１００の外部に光を透過する領域である。また、透過領域１３は、例えば、正面部１１及び側面部１２に設けられている領域であり、一例としては、図９の中心側非透過領域１４１を取り囲んでいる正面部１１の外周側から図１０の側面部１２にわたって設けられている領域である。また、透過領域１３は、例えば、発光部３からの光を任意の色（例えば、赤色）で透過領域１３全体に拡散するように全体が赤色の半透明となっている領域であり、また、正面側（＋Ｚ方向）から見た場合に、中心側非透過領域１４１を取り囲むように全体として弧状に設けられている２個の領域であり、一例としては、図９の左側透過領域１３１、及び右側透過領域１３２を含む領域である。ここで、「弧状」とは、全体としては一部の不連続部分（例えば、透過領域１３が存在していない部分）を介して環状になっている形状であり、つまり、いわゆる環状とは異なる形状であり、例えば、多角形の外周の一部に対応する形状、あるいは、円形又は楕円形の外周の一部の形状に対応する円弧等を含む概念である。
【００４７】
左側透過領域１３１及び右側透過領域１３２は、円弧状のものであり、また、正面側（＋Ｚ方向）から見た場合に、上側非透過領域１４２及び下側非透過領域１４３を隔てて正面部１１の外周側に設けられている領域であり、また、当該外周側から図１０の側面部１２の側面側非透過領域１４４側にわたって設けられている領域である。
【００４８】
（構成‐詳細‐表カバー‐非透過領域）
図９及び図１０の非透過領域１４は、発光部３が発光した光を表示灯付発信機１００の表側における表示灯付発信機１００の外部に透過しない領域であり、例えば、正面部１１及び側面部１２に設けられている領域であり、また、外面が赤色となっている領域であり、一例としては、中心側非透過領域１４１、上側非透過領域１４２、下側非透過領域１４３、及び側面側非透過領域１４４を含む領域である。
【００４９】
中心側非透過領域１４１は、正面部１１に設けられている領域であり、具体的には、正面部１１に沿う方向（ＸＹ平面に沿う方向）における正面部１１の中心側に設けられている領域である。また、上側非透過領域１４２は、中心側非透過領域１４１から連続して設けられている領域であり、具体的には、中心側非透過領域１４１の上側（＋Ｙ方向）において正面部１１から側面部１２にわたって設けられている領域である。また、下側非透過領域１４３は、中心側非透過領域１４１から連続して設けられている領域であり、具体的には、中心側非透過領域１４１の下側（−Ｙ方向）において正面部１１から側面部１２にわたって設けられている領域である。また、側面側非透過領域１４４は、上側非透過領域１４２及び下側非透過領域１４３から連続して設けられている領域であり、具体的には、図１０に示すように側面部１２の全周にわたって設けられている領域である。
【００５０】
そして、これらの透過領域１３及び非透過領域１４を含む表カバー１の外形の成形手法は任意であるが、例えば、透光性及び非透光性の樹脂材料を用いていわゆる二色成形にて成形することができる。
【００５１】
（構成‐詳細‐表カバー‐開閉開口部）
図７の開閉開口部１５は、表示灯付発信機１００の内部に通じる開口である連通開口であり、具体的には、当該開閉開口部１５を介して表示灯付発信機１００が操作されるものであり、例えば、正面部１１に設けられているものであり、また、矩形のものである。
【００５２】
（構成‐詳細‐表カバー‐表示板）
図７の表示板１６は、開閉開口部１５を開閉する開閉板であり、例えば、正面部１１に設けられているものであり、また、矩形のものである。
【００５３】
（構成‐詳細‐表カバー‐露出開口部）
図７の露出開口部１７は、ユーザが保護板４２を押圧できるように保護板４２を露出させる露出開口であり、例えば、正面部１１に設けられているものであり、一例としては、円形のものである。
【００５４】
（構成‐詳細‐基板カバー）
基板カバー６２は、例えば、図５の基板カバー側銘板部６２１を備える。
【００５５】
（構成‐詳細‐基板カバー‐基板カバー側銘板部）
図５の基板カバー側銘板部６２１は、接続関連情報を表示する接続関連情報表示手段であり、具体的には、表示灯付発信機１００の裏側（−Ｚ方向）において表示灯付発信機１００の外部に露出するように設けられているものであり、例えば、基板カバー６２に貼付されるシールである。
【００５６】
ここで、「接続関連情報」とは、表示灯付発信機１００と不図示の防災受信機との間の電気接続に関する情報であり、例えば、端子情報、アドレス情報、及び系統情報等を含む概念である。なお、「防災受信機」とは、監視領域の火災を監視して報知する外部機器であり、例えば、少なくとも表示灯付発信機１００に対して電気的に接続されている装置である。また、「端子情報」とは、表示灯付発信機１００に設けられている端子であって、不図示の防災受信機と電気的に接続される端子を特定する情報である。また、「アドレス情報」とは、不図示の防災受信機との間の電気接続に関する情報であり、例えば、防災受信器との間の通信に用いられるアドレスであって、表示灯付発信機１００に設定されているアドレスの情報である。また、「系統情報」とは、不図示の防災受信機との間の電気接続に関する情報であり、例えば、表示灯付発信機１００が設けられている監視領域の区画に関する情報である。
【００５７】
（構成‐詳細‐取付部材）
図５の取付部材７１は、例えば、取付部材側開口部７１１を備える。
【００５８】
（構成‐詳細‐取付部材‐取付部材側開口部）
取付部材側開口部７１１は、部品板５の一部が挿通される開口であり、例えば、部品板５における裏側（−Ｚ方向）に突出している一部が挿通されるものであり、また、取付部材７１の中心付近に設けられているものである。
【００５９】
（構成‐詳細‐カバーパッキン）
図１１は、カバーパッキンの斜視図であり、図１２は、一部を切断した状態のカバーパッキンの一部の斜視図であり、図１３は、図６の一部の拡大図である。カバーパッキン７２は、例えば、全体としては円環形状であり表カバー１の側面部１２に沿って設けられており、且つ、自己の少なくとも一部が表カバー１の正面部１１の縁よりもやや内側に沿って設けられるものであり、また、少なくとも２種類の特性の材料を用いて一体的に構成されているものであり、一例としては、本体部７２１、及びカバー部７２２を備える。
【００６０】
なお、以下の説明では、ＸＹ平面に平行な方向において、カバーパッキン７２の各接線に沿ってカバーパッキン７２の周に沿っている方向を「周方向」と称し、また、ＸＹ平面に平行な方向において、カバーパッキン７２の径に沿っている方向を「径方向」と称して説明する。なお、Ｘ―Ｙ―Ｚ方向については、図６等を参照して説明する。
【００６１】
（構成‐詳細‐カバーパッキン‐本体部）
本体部７２１は、カバーパッキン７２の一部を構成する部分であり、具体的には、厚み方向（Ｚ方向）において伸びているものであり、例えば、光を通さずに反射する非透光反射性のものであり、また、比較的柔らかく弾性的に変形可能なものである。この本体部７２１の成形手法は任意であるが、例えば、光を通さずに反射する非透光性の軟質の弾性材料（例えば、いわゆるエラストマー材料）を用いて、任意の成形手法（例えば、いわゆる二色成形）にて成形したものである。また、本体部７２１は、例えば、図１２及び図１３の封止片７２１ａ、及び内周部７２１ｂを備える。
【００６２】
封止片７２１ａは、板金９１と表カバー１との間を封止するものであり、具体的には、取付部材７１を用いて表示灯付発信機１００を板金９１に取り付ける場合において、表カバー１が板金９１に押し付けられる場合に表カバー１から受ける押圧力によって板金９１に押し付けられるものあり、例えば、弾性的に変形するものである。封止片７２１ａは、例えば、正面側（＋Ｚ方向）に向かって伸びているものであり、詳細には、裏側（−Ｚ方向）から正面側（＋Ｚ方向）に向かうにつれて、カバーパッキン７２の径方向において内側から外側に向かって傾斜しているものであり、また、自己の正面側（＋Ｚ方向）の先端が裏側取付用板金側開口部９１１よりも大径のカバーパッキン７２の最外周を形成するものである。
【００６３】
そして、このような封止片７２１ａの構成（つまり、軟質の弾性材料にて成形されていることを含む構成）により、図１３の板金９１の厚み等を考慮して行われる表示灯付発信機１００の板金９１に対する位置決めにより、取付部材７１と板金９１との間の距離Ｄが多少変化した場合においても、封止片７２１ａの先端部が板金９１に接触した状態を維持することができるので、確実に封止することができる。
【００６４】
内周部７２１ｂは、表カバー１の透過領域１３のうちの側面部１２に設けられている領域を透過した発光部３からの光を正面側領域に反射する側面対向封止部であり、具体的には、取付部材７１を用いて表示灯付発信機１００を板金９１に取り付ける場合に、表カバー１の透過領域１３のうちの側面部１２に設けられている領域と対向しているものあり、例えば、カバーパッキン７２の径方向における本体部７２１の内側の面である。
【００６５】
（構成‐詳細‐カバーパッキン‐カバー部）
カバー部７２２は、カバーパッキン７２の他の一部を構成する部分であり、具体的には、本体部７２１の正面側（＋Ｚ方向）に設けられているものであり、例えば、自己の少なくとも一部が裏側取付用板金側開口部９１１の縁に沿って当該裏側取付用板金側開口部９１１を介して正面側領域に僅かに突出しているものであり、また、表カバー１の透過領域１３と同様にして光を通す透光性のものであり、また、比較的固いものである。このカバー部７２２の成形手法は任意であるが、例えば、光を通す透光性の硬質の材料（例えば、樹脂材料等）を用いて、任意の成形手法（例えば、いわゆる二色成形）にて成形したものである。また、カバー部７２２は、例えば、図１２及び図１３のカバー片７２２ａ、及び露出対向部７２２ｂを備える。
【００６６】
カバー片７２２ａは、板金９１における裏側取付用板金側開口部９１１の縁を覆うものであり、具体的には、取付部材７１を用いて表示灯付発信機１００を板金９１に取り付ける場合に、裏側取付用板金側開口部９１１から正面側領域に対して突出するものであり、例えば、カバー部７２２における正面側（＋Ｚ方向）に設けられているものである。
【００６７】
露出対向部７２２ｂは、表カバー１の透過領域１３のうちの正面部１１に設けられている領域を透過した発光部３からの光を正面側領域に透過する正面対向封止部であり、具体的には、取付部材７１を用いて表示灯付発信機１００を板金９１に取り付ける場合に、表カバー１の透過領域１３のうちの正面部１１に設けられている領域と対向しているものであって、裏側取付用板金側開口部９１１を介して正面側領域に露出しているものであり、例えば、カバー部７２２の正面側（＋Ｚ方向）の一部（カバー片７２２ａを含む部分）である。
【００６８】
（組み立て及び設置方法）
次に、表示灯付発信機１００の組み立て及び設置方法について説明する。
【００６９】
まず、図６の取付部材７１に対して部品板５を取り付ける。具体的な手法は任意であるが、例えば、部品板５の一部を取付部材側開口部７１１に挿通し、部品板用固定ねじＳ１１を部品板５及び取付部材７１に対して連続的に螺合させることにより取り付ける。
【００７０】
次に、部品板５に対して、図７に示す表示灯付発信機１００の残りの部品（カバーパッキン７２以外）を、任意の固定手段（例えば、ねじでの螺合、係合構造での係合、あるいは、嵌合構造での嵌合等）を用いて、取り付ける。
【００７１】
次に、取付部材７１を板金９１に取り付ける。具体的な手法は任意であるが、例えば、図６に示すように、表カバー１の周囲にカバーパッキン７２を設けた上で、表示灯付発信機１００を裏側領域に設け、裏側取付用板金側開口部９１１を介して表カバー１が露出するように位置決めを行い、取付金具Ａ１１を用いて取り付ける。ここで、取付金具Ａ１１は、取付部材７１を板金９１に取り付けるための取付部材用取付手段であり、取付部材７１及び板金９１の両方に任意の固定手段（例えば、ねじによる螺合、あるは、接着材による接着等）によって固定されるものであり、例えば、折り曲げられている固定金具である。これにて、表示灯付発信機１００の組み立て及び設置が終了する。
【００７２】
（発光）
次に、表示灯付発信機１００による発光について説明する。ここでは、例えば、発光部３がライトガイド２に対して発光した場合の光の光路について説明する。
【００７３】
発光部３が発光した光は、ライトガイド２を介して、表カバー１の透過領域１３から、正面側領域に出力されることになる。この場合、一部の光は、透過領域１３から直接的に正面側領域に出力されることになり、また、他の一部の光は、カバーパッキン７２におけるカバー部７２２（特に、カバー片７２２ａを含む露出対向部７２２ｂ）にて透過されて出力されることになり、また、更なる他の一部の光は、カバーパッキン７２における本体部７２１の内周部７２１ｂにて反射されて出力されることになる。
【００７４】
この場合、特に、カバーパッキン７２における本体部７２１の内周部７２１ｂを用いて、側面部１２における透過領域１３からの光を、表示灯基板４１側から板金９１側に誘導して正面側領域に効率的に出力することができるので、表示灯付発信機１００をより目立たせることができる。また、特に、カバーパッキン７２のカバー部７２２のカバー片７２２ａが正面側領域に突出しているので、ユーザは、表示灯付発信機１００の一部が赤色にて発光していることを、正面側領域のあらゆる位置から視認して確認することが可能となる。
【００７５】
（通報動作）
次に、表示灯付発信機１００が火災発生を通報する動作である通報動作について説明する。ここでは、例えば、ユーザが露出開口部１７を介して保護板４２を押下した場合の通報動作について説明するが、この通報動作は従来と同様であるので、概要のみについて説明する。
【００７６】
ユーザが露出開口部１７を介して保護板４２を押下した場合、保護板４２と共にスイッチ４４が押下されることになり、発信機基板６１の電気回路は、不図示の通信線を介して、防災受信機に対して火災を通報する信号である火災通報信号を送信して通報する。このようにして、通報動作が行われる。
【００７７】
（透過領域の形状による効果）
前述のように図９の透過領域１３が、横方向（Ｘ方向）において円弧状の２つの左側透過領域１３１及び右側透過領域１３２を備えているので、表示灯付発信機１００の横方向（Ｘ方向）からの視認性が要求される所定の規格（例えば、消防法に関連する規格等）を確実に満たした上で、複数個所の発光により、１か所のみの発光に比べて表示灯付発信機１００を目立たせることができる。
【００７８】
また、図９の表カバー１における発光部３と対向する領域が、上側非透過領域１４２及び下側非透過領域１４３となっているので、発光部３と対向する領域を遮光することにより、発光部３の光量が強くなり発光状態がまだらになりやすい領域を遮光することができるので、表カバー１の透過領域１３全体を一様に発光させることができ、発光している透過領域１３を含む表示灯付発信機１００の全体の意匠性を向上させることができる。特に、表示灯付発信機１００の内部における上側非透過領域１４２及び下側非透過領域１４３と対向する領域を、発光部３を設ける領域として用いることができるので、発光部３を設ける領域を２か所に集中することができ、表示灯付発信機１００の内部のスペースを有効利用することにより、表示灯付発信機１００のコンパクト化を図ることが可能となる。
【００７９】
（実施の形態の効果）
このように本実施の形態によれば、表示灯付発信機１００が裏側領域に設けられており、また、板金９１と表カバー１との間を封止するカバーパッキン７２を備えることにより、例えば、正面側領域において板金９１がフラットになるように表示灯付発信機１００を取り付けることができるので、表示灯付発信機１００が邪魔になることを防止することができる。また、例えば、カバーパッキン７２を備えるので、当該カバーパッキン７２にて裏側取付用板金側開口部９１１を封止することができ、裏側取付用板金側開口部９１１を介して裏側領域に雨や塵埃等の汚損物が入り込むことを防止することができる。
【００８０】
また、カバーパッキン７２が封止片７２１ａとカバー片７２２ａとを備えることにより、例えば、裏側取付用板金側開口部９１１を介して裏側領域に雨や塵埃等の汚損物が入り込むことを封止片７２１ａにて確実に防止すると共に、板金９１における裏側取付用板金側開口部９１１の縁をカバー片７２２ａにて覆って当該縁にユーザが触れて怪我をすることを防止することができる。
【００８１】
また、封止片７２１ａが弾性的に変形することにより、例えば、板金９１の構造等に起因して当該板金９１と表示灯付発信機１００との相対的位置が多少ずれた場合であっても、封止片７２１ａが板金９１に押し付けられた状態を維持することができ、裏側取付用板金側開口部９１１を介して裏側領域に雨や塵埃等の汚損物が入り込むことをより確実に防止することができる。
【００８２】
また、正面部１１の外周側における透過領域１３の一部と対向している露出対向部７２２ｂが、発光部３からの光を正面側領域に透過させることにより、例えば、表示灯付発信機１００全体における正面側領域に光を透過する領域の面積がカバーパッキン７２によって縮小されることを防止できるので、正面側領域に光を透過する領域の面積を比較的広く保って表示灯付発信機１００を目立たせることができる。
【００８３】
また、側面部１２における透過領域１３の一部と対向している内周部７２１ｂが、発光部３からの光を正面側領域に反射させることにより、例えば、側面部１２側への光を正面側領域に発光することができるので、正面側領域に発光される光量を増大させて表示灯付発信機１００をより目立たせることができる。つまり、例えば、本願の内周部７２１ｂが設けられていない場合、側面部１２における透過領域１３からの光が正面側領域に出力されずに無駄になる可能性があるが、本願の表示灯付発信機１００については、内周部７２１ｂが設けられているので、当該内周部７２１ｂにて側面部１２における透過領域１３からの光を正面側領域に効率的に誘導することができ、表示灯付発信機１００をより目立たせることができる。
【００８４】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８５】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００８６】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００８７】
（表カバーについて）
また、上記実施の形態において、表カバー１の透過領域１３及び非透過領域１４の構成を任意に変更してもよい。例えば、透過領域１３を、正面部１１及び側面部１２のうちのいずれか一方のみに設けてもよい。また、透過領域１３について、環状とならない限りにおいて、任意の形状としてもよい。
【００８８】
（ライトガイドについて）
また、上記実施の形態において、ライトガイド２の全体の構成を任意に変更してもよい。例えば、ライトガイド２を任意の個数に分割して、２個以上のライトガイドとして構成してもよい。また、例えば、ライトガイド２を、円環形状以外の任意の形状（一例としては、三角形、矩形等）としてもよい。
【００８９】
（カバーパッキンについて（その１））
また、上記実施の形態の図１２のカバーパッキン７２の構成を任意に変更してもよい。例えば、カバーパッキン７２が封止する機能を有する限りにおいて任意に変更してよく、具体的には、カバーパッキン７２全体を透光性又は非透光性の１種類の材料又は３種類以上の材料にて構成してもよく、あるいは、カバー片７２２ａを省略してもよい。
【００９０】
（カバーパッキンについて（その２））
また、カバーパッキン７２の代わり以下に示すカバーパッキン８２を用いてもよい。図１４は、一部を切断した状態の他のカバーパッキンの一部の斜視図である。カバーパッキン８２は、特記する事項を除いて、カバーパッキン７２と同様であることとする。このカバーパッキン８２は、例えば、１種類の特性の材料（例えば、軟質の弾性材料）を用いて一体的に構成されているものであり、２個の封止片８２１ａ、カバー片８２２ａ、及び露出対向部８２２ｂを備えるものである。なお、これらの封止片８２１ａ、カバー片８２２ａ、露出対向部８２２ｂについては、実施の形態のカバーパッキン７２の同一名称の構成と同様であることとする。このカバーパッキン８２については、封止片８２１ａが２個設けられているので、より確実に封止することができる。また、カバー片８２２aが軟質の弾性材料によって成形されているので、板金９１における裏側取付用板金側開口部９１１の縁に沿ってカバー片８２２aを設けることができ、ユーザが当該縁に触れて怪我をすることを確実に防止することができる。
【００９１】
（付記）
付記１の表示灯付発信機は、監視領域における異常を通報する表示灯付発信機であり、前記表示灯付発信機の正面側の領域である正面側領域と前記表示灯付発信機の裏側の領域である裏側領域とを区画する取付対象であって前記表示灯付発信機の少なくとも一部を前記正面側領域に対して露出させるための露出穴を備える前記取付対象に取り付けられる前記表示灯付発信機であり、前記露出穴よりも大径の前記表示灯付発信機であり、前記裏側領域に設けられている前記表示灯付発信機であって、発光手段と、少なくとも前記表示灯付発信機の正面側から前記発光手段を覆う表カバーであって、少なくとも前記発光手段が発光した光を少なくとも前記表示灯付発信機の正面側における前記表示灯付発信機の外部に透過する領域である透過領域を備えている前記表カバーであり、少なくとも前記表カバーが前記露出穴を介して前記正面側領域に対して露出するように前記取付対象に取り付けられる前記表カバーと、自己の少なくとも一部が前記取付対象と前記表カバーとの間において前記露出穴の周囲に設けられる封止手段であって、前記取付対象と前記表カバーとの間を封止する前記封止手段と、を備える。
【００９２】
付記２の表示灯付発信機は、付記１に記載の表示灯付発信機において、前記表カバーは、前記封止手段を介して前記取付対象に押し付けられており、前記封止手段は、前記表カバーが前記取付対象に押し付けられる場合に前記表カバーから受ける押圧力によって前記取付対象に押し付けられる封止片であって、前記取付対象と前記表カバーとの間を封止する前記封止片と、前記取付対象における前記露出穴の縁を覆うカバー片であって、前記露出穴から前記正面側領域に対して突出している前記カバー片と、を備える。
【００９３】
付記３の表示灯付発信機は、付記２に記載の表示灯付発信機において、前記封止片は、弾性的に変形する。
【００９４】
付記４の表示灯付発信機は、付記１から３のいずれか一項に記載の表示灯付発信機において、前記表カバーは、少なくとも、前記表示灯付発信機の正面側から前記発光手段を覆う正面部、を備えており、前記表カバーの前記透過領域は、少なくとも、前記正面部の外周側に設けられており、前記封止手段は、前記正面部の外周側における前記透過領域の一部と対向している正面対向封止部であって、前記露出穴を介して前記正面側領域に露出している前記正面対向封止部、を備えており、前記正面対向封止部は、前記正面部の外周側における前記透過領域の一部を透過した前記発光手段からの光を前記正面側領域に透過させる。
【００９５】
付記５の表示灯付発信機は、付記１から３のいずれか一項に記載の表示灯付発信機において、前記表カバーは、前記表示灯付発信機の正面側から前記発光手段を覆う正面部と、前記表示灯付発信機の側面側から前記発光手段を覆う側面部と、を備えており、前記表カバーの前記透過領域は、少なくとも前記側面部に設けられており、前記封止手段は、前記側面部における前記透過領域の一部と対向している側面対向封止部、を備えており、前記側面対向封止部は、前記側面部における前記透過領域の一部を透過した前記発光手段からの光を前記正面側領域に反射させる。
【００９６】
（付記の効果）
付記１に記載の表示灯付発信機によれば、表示灯付発信機が裏側領域に設けられており、また、取付対象と表カバーとの間を封止する封止手段を備えることにより、例えば、正面側領域において取付対象がフラットになるように表示灯付発信機を取り付けることができるので、表示灯付発信機が邪魔になることを防止することができる。また、例えば、封止手段を備えるので、当該封止手段にて露出穴を封止することができ、露出穴を介して裏側領域に雨や塵埃等の汚損物が入り込むことを防止することができる。
【００９７】
付記２に記載の表示灯付発信機によれば、封止手段が封止片とカバー片とを備えることにより、例えば、露出穴を介して裏側領域に雨や塵埃等の汚損物が入り込むことを封止片にて確実に防止すると共に、取付対象における露出穴の縁をカバー片にて覆って当該縁にユーザが触れて怪我をすることを防止することができる。
【００９８】
付記３に記載の表示灯付発信機によれば、封止片が弾性的に変形することにより、例えば、設置対象の構造等に起因して当該設置対象と表示灯付発信機との相対的位置が多少ずれた場合であっても、封止片が取付対象に押し付けられた状態を維持することができ、露出穴を介して裏側領域に雨や塵埃等の汚損物が入り込むことをより確実に防止することができる。
【００９９】
付記４に記載の表示灯付発信機によれば、正面部の外周側における透過領域の一部と対向している正面対向封止部が、発光手段からの光を正面側領域に透過させることにより、例えば、表示灯付発信機全体における正面側領域に光を透過する領域の面積が封止手段によって縮小されることを防止できるので、正面側領域に光を透過する領域の面積を比較的広く保って表示灯付発信機を目立たせることができる。
【０１００】
付記５に記載の表示灯付発信機によれば、側面部における透過領域の一部と対向している側面対向封止部が、発光手段からの光を正面側領域に反射させることにより、例えば、側面部側への光を正面側領域に発光することができるので、正面側領域に発光される光量を増大させて表示灯付発信機をより目立たせることができる。つまり、例えば、本願の側面対向封止部が設けられていない場合、側面部における透過領域からの光が正面側領域に出力されずに無駄になる可能性があるが、本願の表示灯付発信機については、側面対向封止部が設けられているので、当該側面対向封止部にて側面部における透過領域からの光を正面側領域に誘導することができ、表示灯付発信機をより目立たせることができる。
【符号の説明】
【０１０１】
１  表カバー
２  ライトガイド
３  発光部
５  部品板
１１  正面部
１２  側面部
１３  透過領域
１４  非透過領域
１５  開閉開口部
１６  表示板
１７  露出開口部
４１  表示灯基板
４２  保護板
４３  押さえばね
４４  スイッチ
６１  発信機基板
６２  基板カバー
７１  取付部材
７２  カバーパッキン 
８２  カバーパッキン
９１  板金
１００  表示灯付発信機
１３１  左側透過領域
１３２  右側透過領域
１４１  中心側非透過領域
１４２  上側非透過領域
１４３  下側非透過領域
１４４  側面側非透過領域
６２１  基板カバー側銘板部
７１１  取付部材側開口部
７２１  本体部
７２１ａ  封止片
７２１ｂ  内周部
７２２  カバー部
７２２ａ  カバー片
７２２ｂ  露出対向部
８２１ａ  封止片
８２２ａ  カバー片
８２２ｂ  露出対向部
９１１  裏側取付用板金側開口部
Ａ１１  取付金具
Ｄ  距離
Ｓ１１  部品板用固定ねじ
【図１】
2019008403.tif 000003
【図２】
2019008403.tif 000004
【図３】
2019008403.tif 000005
【図４】
2019008403.tif 000006
【図５】
2019008403.tif 000007
【図６】
2019008403.tif 000008
【図７】
2019008403.tif 000009
【図８】
2019008403.tif 000010
【図９】
2019008403.tif 000011
【図１０】
2019008403.tif 000012
【図１１】
2019008403.tif 000013
【図１２】
2019008403.tif 000014
【図１３】
2019008403.tif 000015
【図１４】
2019008403.tif 000016